(57)【特許請求の範囲】
【請求項１】
上方に供給口を、下方に排出口を設けたケーシング内に、回転刃を所定の間隔で取り付けた回転軸を概ね水平に配置し、先端が前記回転刃に近接するスクレーパを設けた剪断式回転破砕機において、前記スクレーパの基端部を前記ケーシング内で前記回転軸の下方に配置した回動軸に取り付け、その先端を前記回転刃に下方から近接させて、下向きに退避可能とするとともに、前記回動軸に、回動軸の半径方向と概ね直交する楔受け面を有するストッパを取り付け、このストッパの楔受け面と対向させて、前記ケーシング側に楔受け部を設け、これらの楔受け面と楔受け部との間に楔を嵌め込んで、前記スクレーパの回動角度を、その先端が前記回転刃に近接した位置で保持するようにしたことを特徴とする剪断式回転破砕機。
【発明の詳細な説明】
【０００１】
【発明の属する技術分野】
この発明は、廃棄物を剪断破砕する剪断式回転破砕機に関する。
【０００２】
【従来の技術】
都市ごみ、産業廃棄物および建築廃棄物等の廃棄物は、焼却等の処分をしたり、資源の回収をしたりする前に、破砕処理が行われることが多い。この廃棄物の破砕処理には、ケーシング内に概ね水平に配置した回転軸に所定の間隔で回転刃を取り付け、これらの回転刃でケーシング内に供給される廃棄物を剪断する剪断式回転破砕機がよく使用される。
【０００３】
この形式の破砕機では、紐や布等の帯状の廃棄物が回転軸に絡みつきやすいので、回転軸に絡みついた廃棄物を除去するためのスクレーパが設けられている。一般的なスクレーパは、その先端を回転軸に近接させて廃棄物を除去するようになっており、回転軸の斜め上方あるいは斜め下方でケーシングに固定されているものが多い。
【０００４】
ところで、破砕機のスクレーパには、回転軸から除去した廃棄物の一部が絡みつくため、定期的に清掃を行う必要がある。スクレーパの清掃は、通常、人が棒等で絡みついた廃棄物を突き落とす方法で行われているが、回転刃が邪魔になって廃棄物を容易に除去できず、作業に非常に手間がかかる。特に、スクレーパが回転軸の下方に固定されている場合には、ケーシング下部に設けた点検口からスクレーパに向けて棒等を突き上げる必要があり、作業しにくいうえ、除去した廃棄物が作業者の頭や手に落下してくるため作業環境も悪い。
【０００５】
一方、スクレーパが回転軸の上方に固定されている場合は、下方に固定されている場合に比べて、スクレーパから廃棄物を除去する作業は行いやすいが、除去した廃棄物が回転軸に引っ掛かるため、回転軸から廃棄物を落とす作業も行う必要がある。
【０００６】
このスクレーパの清掃を、人手によらず、機械的に行う剪断式回転破砕機として、例えば、実公平２−３００３０号公報に開示されたものがある。この破砕機では、スクレーパがケーシングの側壁に設けた開口部に通され、その端部をケーシング外のアクチュエータに支持されて、回転軸から後退可能とされており、スクレーパを開口部を通して後退させることにより、スクレーパに絡みついた廃棄物が開口部の周縁部にこすられて除去されるようになっている。
【０００７】
上述した破砕機は、アクチュエータの設置のためにイニシャルコストが高くなるうえ、スクレーパと開口部周縁との隙間に針金等の硬い廃棄物が噛み込んだり、開口部の周縁部に廃棄物が強固にこびりついたりして、スクレーパが動かなくなるおそれがある。開口部を大きくすれば、スクレーパの動作トラブルは発生しにくくなるが、開口部から漏れ出すほこりが多くなり、破砕機周辺の作業環境の悪化を招く。
【０００８】
【発明が解決しようとする課題】
そこで、この発明の課題は、簡単な構成でスクレーパの清掃を容易に行うことができる剪断式回転破砕機を提供することである。
【０００９】
【課題を解決するための手段】
上記の課題を解決するため、この発明は、上方に供給口を、下方に排出口を設けたケーシング内に、回転刃を所定の間隔で取り付けた回転軸を概ね水平に配置し、先端が前記回転刃に近接するスクレーパを設けた剪断式回転破砕機において、前記スクレーパの基端部を前記ケーシング内で前記回転軸の下方に配置した回動軸に取り付け、その先端を前記回転刃に下方から近接させて、下向きに退避可能とした構成を採用したのである。
【００１０】
すなわち、スクレーパの基端部をケーシング内で回転軸の下方に配置した回動軸に取り付け、その先端を回転刃の下方に下向きに退避可能とすることにより、スクレーパを清掃するときには、その先端を回転刃が邪魔にならない位置まで退避させて、スクレーパに絡みついた廃棄物を容易に除去できるようにするとともに、除去された廃棄物が排出口からスムーズに排出されるようにしたのである。
【００１１】
前記回動軸に、回動軸の半径方向と概ね直交する楔受け面を有するストッパを取り付け、このストッパの楔受け面と対向させて、前記ケーシング側に楔受け部を設け、これらの楔受け面と楔受け部との間に楔を嵌め込むことにより、前記スクレーパの回動角度を、その先端が前記回転刃に近接した位置で容易に保持することができる。
【００１２】
【発明の実施の形態】
以下、図１乃至図６に基づき、この発明の実施形態を説明する。図１乃至図５は、第１の実施形態を示す。図１および図２に示すように、この剪断式回転破砕機は、上端に供給口１aを、下端に排出口１bを設けたケーシング１内に一対の回転軸２a、２bを水平に配置し、各回転軸２a、２bの外周に回転刃３とスペーサリング４とを交互に嵌め込んで、各回転刃３の刃先が相手側のスペーサリング４の外周面近傍を通り抜けるようにしたものであり、各回転軸２a、２bを内向きに回転させることにより、供給口１aから供給される廃棄物を、各回転刃３と相手側の回転刃３またはスペーサリング４との隙間に挟んで剪断し、排出口１bから排出するようになっている。
【００１３】
前記ケーシング１は、横断面が矩形で、回転軸２ａ、２ｂを支持する軸受５が取り付けられた一対の側壁６と、回転軸２ａ、２ｂと平行に形成され、点検口７ａが設けられた一対の側壁７とから成る。各点検口７ａは、回転軸２ａ、２ｂよりわずかに低い位置に設けられ、開閉可能な扉７ｂで塞がれている。
【００１４】
前記ケーシング１内には、各回転軸２ａ、２ｂの斜め下方で、かつ剪断された廃棄物の排出口１ｂへの落下を妨げない位置に、回転軸２ａ、２ｂと平行に回動軸８ａ、８ｂが設けられている。各回動軸８ａ、８ｂは、その両端をケーシング１の側壁６に取り付けられた軸受９に支持され、その胴部にスクレーパ１０の基端部が取り付けられている。各スクレーパ１０の先端部は、先細りの櫛歯状に形成され、回転刃３の間に入り込んで、スペーサリング４外周面に下方から近接しており、回動軸８ａ、８ｂの回動により下方に退避するようになっている。
【００１５】
図３および図４に示すように、各回動軸８ａ、８ｂの一端部の外周面には矩形のストッパ板１１が取り付けられ、このストッパ板１１の一側面と対向させて、ケーシング１の側壁６にコッタベース１２が設けられている。そして、ストッパ板１１の一側面とコッタベース１２との間にコッタ１３を嵌め込んで、ボルト１４でコッタベース１２に固定することにより、回動軸８ａ、８ｂの回動が規制されて、スクレーパ１０がその先端をスペーサリング４外周面に近接させた位置で保持されるようになっている。
【００１６】
また、回動軸８ａ、８ｂの一端側の端面にはハンドル取付用の角棒状の係合片１５が形成され、ストッパ板１１には吊下用の貫通孔１１ａが設けられている。これらの係合片１５および貫通孔１１ａは、後述するスクレーパ清掃作業で使用される。
【００１７】
次に、図５に基づいて、スクレーパ清掃作業の手順について説明する。まず、図５（ａ）に示すように、ストッパ板１１の貫通孔１１ａに吊りフック１６を掛け、フック１６に連結されたワイヤ１７でストッパ板１１を吊り下げて、回動軸８ａの回動を規制する。次に、コッタ１３をコッタベース１２から取り外し、回動軸８ａ端の係合片１５に回動用ハンドル１８の基端部１８ａの角孔を嵌め込んで、ハンドル１８を回動軸８ａに取り付ける。
【００１８】
そして、図５（ｂ）に示すように、ワイヤ１７を少しずつ緩めながら、ハンドル１８を廻して回動軸８ａを回動させ、スクレーパ１０の先端が回動軸８ａよりも下方に向いたときにワイヤ１７を固定する。こうして回動軸８ａを停止させた状態で、点検口７ａの扉７ｂを開き、点検口７ａから棒を出してスクレーパ１０に絡みついた廃棄物を突き落とす。スクレーパ１０は先端側が先細りに形成されているうえ、先端が水平よりも下方を向いているため、廃棄物を容易に突き落とすことができる。また、点検口７ａが回動軸８ａより高い位置に設けられており、棒を下向きにして操作することができるので、作業しやすく、作業環境も問題ない。なお、点検口７ａは、必ずしも回動軸８ａの上に設けなくてもよい。
【００１９】
また、上述した手順は、一方の回動軸８ａに取り付けたスクレーパ１０に関して説明したが、他方の回動軸８ｂに取り付けたスクレーパ１０も同じ手順で清掃される。
【００２０】
図６は第２の実施形態を示す。この剪断式回転破砕機は、ケーシング１９内で一方の回転軸２０ａの上方に、剪断が困難な廃棄物を専用の排出口１９ａから排出するための揺動プレート２１が設けられ、この回転軸２０ａの斜め下方に上述した回動式のスクレーパ２２が、他方の回転軸２０ｂの斜め上方に固定式のスクレーパ２３がそれぞれ設けられている。その他の構成は、第１の実施形態の破砕機と同じである。
【００２１】
すなわち、この破砕機では、一方の回転軸２０ａについては、上方に揺動プレート２１が設けられているためスクレーパ２２を下方に設けざるをえないが、このスクレーパ２２を回動式とすることにより、清掃を容易に行うことができる。なお、固定式スクレーパ２３は、他方の回転軸２０ｂの上方に設けられているため、前述したように、清掃に手間はかかるが、作業は比較的行いやすい。
【００２２】
上述した実施形態の剪断式回転破砕機は、一対の回転軸を有する２軸タイプのものであるが、１軸タイプのものとしてもよい。
【００２３】
【発明の効果】
以上のように、この発明の剪断式回転破砕機は、スクレーパの基端部をケーシング内で回転軸の下方に配置した回動軸に取り付け、その先端を回転刃の下方から近接させて、下向きに退避可能としたものであるから、スクレーパを清掃するときには、その先端を回転刃が邪魔にならない位置まで退避させて、スクレーパに絡みついた廃棄物を容易に除去できるとともに、除去された廃棄物を排出口からスムーズに排出することができる。また、回動軸を回動させるのに必ずしもアクチュエータを必要としないので、簡単な構成でスクレーパの清掃を行うことができる。
【図面の簡単な説明】
【図１】第１の実施形態の剪断式回転破砕機の縦断面図
【図２】図１の破砕機の横断面図
【図３】図１の破砕機の要部の正面図
【図４】図１の破砕機の要部の斜視図
【図５】ａ、ｂは、それぞれ図１の破砕機のスクレーパ清掃作業の手順を説明する要部の正面図
【図６】第２の実施形態の剪断式回転破砕機の縦断面図
【符号の説明】
１  ケーシング
１ａ  供給口
１ｂ  排出口
２ａ、２ｂ  回転軸
３  回転刃
４  スペーサリング
５  軸受
６、７  側壁
７ａ  点検口
７ｂ  扉
８ａ、８ｂ  回動軸
９  軸受
１０  スクレーパ
１１  ストッパ板
１１ａ  貫通孔
１２  コッタベース
１３  コッタ
１４  ボルト
１５  係合片
１６  吊りフック
１７  ワイヤ
１８  ハンドル
１８ａ  基端部
１９  ケーシング
１９ａ  排出口
２０ａ、２０ｂ  回転軸
２１  揺動プレート
２２、２３  スクレーパ
【図１】
0003635240.tif 000002
【図２】
0003635240.tif 000003
【図３】
0003635240.tif 000004
【図４】
0003635240.tif 000005
【図５】
0003635240.tif 000006
【図６】
0003635240.tif 000007